(57)【特許請求の範囲】
【請求項１】
本体キャビネットに対して開閉自在に構成された開閉蓋において、開閉蓋の左右に当該蓋表面に平行な方向に回動するように軸支されたバックルを配設し、バックル同士が本体キャビネットに対して互いに離反または当接するように連動させる連動構成部を開閉蓋側に設けて、この連動構成部を介してバックル同士を連結させ、左右のバックルにそれぞれ設けたロック部が、本体キャビネットの両側部に設けた各被ロック部に、同様な姿勢および同様なタイミングで系脱する構成としたことを特徴とする蓋開閉装置。
【請求項２】
本体キャビネットに対して開閉自在に構成された開閉蓋において、開閉蓋の左右に当該蓋表面に平行な方向に回動するように軸支されたバックルを配設し、前記開閉蓋に、バックル同士が本体キャビネットに対して互いに離反または当接するように連動させる連動構成部を開閉蓋側に設け、この連動構成部は、左右のバックルをそれぞれ回動可能に連結する連結板と、これらの連結板同士を連結する連結レバーとを備え、バックルのロック構成部に設けたロック部がバックルを開閉蓋側に閉じる操作の過程で徐々に本体キャビネットの角部に当たり、ロック部の付勢力でバックルを本体キャビネットに引き込む構成としたことを特徴とする蓋開閉装置。
【請求項３】
開閉蓋においてバックルの枢軸が連動構成部より開閉蓋の枢軸に近い位置に配置する構成としたことを特徴とする請求項２記載の蓋開閉装置。
【発明の詳細な説明】
【０００１】
【発明の属する技術分野】
本発明は、たとえばポータブルＣＤ装置の開閉蓋のロック・リリースがワンタッチで行えるように構成した蓋開閉装置に関するものである。
【０００２】
【従来の技術】
従来、この種の蓋開閉装置としては図１０に示す構成のものがある。図１０において、３１は開閉蓋３２を閉じた姿勢にロックするためのバックルで、このバックル３１は本体キャビネット３３の左右箇所において、本体キャビネット３３に設けられた支軸３４をそれぞれ中心として回動自在に支持されている。開閉蓋３２を閉じた状態で、バックル３１を開閉蓋３２側に回動させることにより、このバックル３１に取り付けた第１ロック金具３５の凸部３６が、開閉蓋３２に取り付けた第２ロック金具３７の凸部３８を乗り越えてロックが完了され、開閉蓋３２と本体キャビネット３３とが互いに押しつけあった状態で閉じるように構成されている。なお、３９は防水性ゴムなどからなるシール部材である。
【０００３】
【発明が解決しようとする課題】
しかしながら、このような従来の蓋開閉装置においては、左右のバックル３１がそれぞれ単独で構成されており、ロック・リリース操作時に左右の手が必要となって操作が難しく、またバックル３１が開閉蓋３２の表面に垂直方向に回動するように軸支されるため、バックル３１自体のたわみによりロックの操作力が決まったりして、操作力の設定に十分な検討が要求されていた。また左右のバックル３１が独立して開閉させる構造であるため、落下した際などに、この際の衝撃が片側のバックル３１に対して外れ方向への力として加わった場合に、誤動作でバックル３１が外れてロックが解除されてしまうことがあり、このような不具合を防止すべく、簡単に外れない構成を検討する必要があった。
【０００４】
本発明は、このような従来の問題を解決するもので、蓋開閉動作の操作を容易に行うことができながら、ロック操作力が安定しバックルが誤って外れることを防止できる蓋開閉装置を提供することを目的とするものである。
【０００５】
【課題を解決するための手段】
この課題を解決するために本発明の蓋開閉装置は、本体キャビネットに対して開閉自在に構成された開閉蓋において、開閉蓋の左右に当該蓋表面に平行な方向に回動するように軸支されたバックルを配設し、バックル同士が本体キャビネットに対して互いに離反または当接するように連動させる連動構成部を開閉蓋側に設けて、この連動構成部を介してバックル同士を連結させ、左右のバックルにそれぞれ設けたロック部が、本体キャビネットの両側部に設けた各被ロック部に、同様な姿勢および同様なタイミングで系脱する構成としたことを特徴とする。
【０００６】
この構成により、蓋開閉動作の操作を容易に行うことができながら、バックルが誤って外れることを防止できる。
【０００７】
【発明の実施の形態】
本発明の請求項１に記載の発明は、本体キャビネットに対して開閉自在に構成された開閉蓋において、開閉蓋の左右に当該蓋表面に平行な方向に回動するように軸支されたバックルを配設し、バックル同士が本体キャビネットに対して互いに離反または当接するように連動させる連動構成部を開閉蓋側に設けて、この連動構成部を介してバックル同士を連結させ、左右のバックルにそれぞれ設けたロック部が、本体キャビネットの両側部に設けた各被ロック部に、同様な姿勢および同様なタイミングで系脱する構成としたことを特徴とする。
【０００８】
これにより、一方のバックルだけを操作した場合でも、連動構成部により他方のバックルも連動し、同時に左右のバックルが移動して両側のロック動作を行うことができるため、片手での開閉操作が可能となるとともに、バックルが開閉蓋の表面に平行な方向に回動するように軸支されているため、ロック操作力が安定し落下時の誤使用による外れを防止することができて、耐衝撃性も向上する。
【０００９】
請求項２に記載の発明は、本体キャビネットに対して開閉自在に構成された開閉蓋において、開閉蓋の左右に当該蓋表面に平行な方向に回動するように軸支されたバックルを配設し、前記開閉蓋に、バックル同士が本体キャビネットに対して互いに離反または当接するように連動させる連動構成部を開閉蓋側に設け、この連動構成部は、左右のバックルをそれぞれ回動可能に連結する連結板と、これらの連結板同士を連結する連結レバーとを備え、バックルのロック構成部に設けたロック部がバックルを開閉蓋側に閉じる操作の過程で徐々に本体キャビネットの角部に当たり、ロック部の付勢力でバックルを本体キャビネットに引き込む構成としたことを特徴とする。
【００１０】
これにより、一方のバックルだけを操作した場合でも、連動構成部により他方のバックルも連動し、同時に左右のバックルが移動して両側のロック部が本体キャビネットの被ロック部に嵌まり込んでロック力を発生させ、片手での開閉操作が可能となるとともに、落下時の誤使用による外れを防止することができて、耐衝撃性も向上する。
【００１１】
本発明の請求項３に記載の発明は、開閉蓋においてバックルの枢軸が連動構成部より開閉蓋の枢軸に近い位置に配置する構成としたことを特徴とするものであり、連動構成部が開閉蓋の自由端寄りの片側に構成できるため小型省スペース化が可能となる。
【００１２】
以下本発明の実施の形態について、図１から図５を用いて説明する。
【００１３】
（実施の形態１）
図１は本発明の実施の形態にかかる蓋開閉装置を備えたポータブルＣＤ装置の外観図、図２は同ポータブルＣＤ装置の蓋開閉装置のロック状態での平面透視図、図３は同開閉装置のリリース状態での平面透視図、図４は同ポータブルＣＤ装置における蓋開閉装置の連結構成部の斜視図、図５はの同開閉装置のロックリリース状態での正面断面図である。
【００１４】
図１〜図５において、１は本発明の実施の形態にかかる蓋開閉装置２を備えたポータブルＣＤ装置、３は本体キャビネット、４はヒンジ部５を介して本体キャビネット３に対して開閉自在に構成された開閉蓋、６はロック用のバックルであり、バックル６は開閉蓋４側における左右位置にそれぞれ配設されている。
【００１５】
バックル６の片端にはバックル支軸１１が取り付けられ、バックル支軸１１は支軸固定板１２により開閉蓋４に固定されている。ここで支軸固定板１２は、バックル支軸１１が開閉蓋４の表面に垂直になるように開閉蓋４に取り付けられている。これによりバックル６は開閉蓋４の表面に平行な方向に回動するように軸支されている。
【００１６】
開閉蓋４には、各バックル６にそれぞれ連結される左右の連結板７と、これらの連結板７同士を連結する連結レバー８とロックバネ１０とが内装されている。連結レバー８は、開閉蓋４に設けた連結軸４ａに、連結レバー８に設けた連結軸受け８ａを嵌合させることにより、回動可能に支持されている。
【００１７】
連結板７の端部にはガイド孔７ａ形成され、連結レバー８に突設された軸８ｂに連結板７のガイド孔７ａを嵌入させることにより、連結レバー８の回動動作が変換されて連結板７が横方向にスライドするようになっている。また、１０は片端が連結レバー８のバネ孔８ｃに嵌入されたロックバネ１０であり、他端は開閉蓋４のバネ孔４ｂに嵌入されている。連結レバー８のバネ孔８ｃと開閉蓋４のバネ孔４ｂは、連結レバー８の動作回転範囲の中間位置において双方の距離が最も接近するように配置されている。これに対してロックバネ１０は両端を遠ざける付勢力を持っている。これにより、連結レバー８は左右の連結板７を最も近付けるか、あるいは中間点を境に反対に遠ざける付勢力を持たせている。
【００１８】
また、連結板７の他端には軸７ｂが突設され、バックル６の自由端に設けたガイド孔６ａに嵌入されている。１３はバックル６に取り付けられた軸押さえであり、軸７ｂがガイド孔６ａに嵌入された状態を保持している。これにより連結板７の横方向のスライドが変換されてバックル６が回動するようになっている。
【００１９】
さらに、バックル６の下部前寄りの箇所にも軸受け６ａが設けられ、支軸１４を介してロック片１５が回動可能に取り付けられている。そして、支軸１４に外装させてロック片１５とバックル６との端部に当接させたバネ１６により、ロック片１５に設けられたロック面１５ａがバックル６の裏面側より突出する方向にロック片１５が付勢されている。また、このロック片１５が係合可能なロック用溝３ａが本体キャビネット３におけるロック片１５に臨む位置に形成されている。
【００２０】
１８は防水ゴムなどからなるシール部材である。
【００２１】
以上のように構成された蓋開閉装置の動作を以下に説明する。
【００２２】
ロック動作において、バックル６をＡ方向（図３参照）に閉じることにより、バックル６に連結された連結板７が、Ｂ方向にスライドし、連結レバー８が連結軸受け８ａを支点としてＣ方向に回動する。さらに反対側の連結板が連動して動く。前記バックル６の操作により、反対側のバックル６がＡ方向に回動する。
【００２３】
この時、バックル６に取り付けたロック片１５が本体キャビネット３に設けたロック用溝３ａに徐々に接近し、さらに近づく。これにより、ロック用溝３ａの角にロック片１５のロック面１５ａが当たって反転し、バックル６を本体キャビネット３へと引き寄せるロック補助の働きが発生し、最終的にロック片１５がロック用溝３ａにはまり込み、本体キャビネット３が引き上げられながら開閉蓋４に押しつけられる。
【００２４】
一方、リリース動作では、バックル６をＤ方向（図４参照）に開くことにより、連結板がＥ方向にスライドして、連結レバー８はＦ方向に連動する。バックル６を操作してリリース動作を行う過程において、ロックバネ１０の付勢力により連結レバー８はロックとリリースの中間位置を境にどちらかに付勢される。ロック状態からリリース動作が半分以上経過した時点から、連結レバーはＦ方向に付勢されることになる。これによりリリース動作にクリック感が与えられ、リリース完了状態でバックル６のぐらつきが抑えられる。
【００２５】
以上のように本実施形態によれば、左右のバックル６を連結させたので、双方のバックル６だけでなく片側のバックル６のみでもロック操作可能であって操作性が向上するとともに、バックルが開閉蓋の表面に平行な方向に回動するように軸支されているためロック操作力が安定し、ロック時には、双方のバックル６に設けた各ロック片１５が開閉蓋４に確実に係合するため、落下した際などに、この際の衝撃が片側のバックル６に対して外れ方向への力として加わった場合でも、バックル６が外れてロックが解除されてしまうことが防止され、耐衝撃性も向上する。
【００２６】
また、開閉蓋４においてバックル６のバックル支軸１１を連結板７および連結軸８より開閉蓋４のヒンジ５に近い位置に配置する構成としたので、連結板７および連結軸８が開閉蓋４の自由端寄りの片側に構成できるため小型省スペース化が可能となる。
【００２７】
【発明の効果】
以上のように本発明によれば、左右のバックルを連結させたので、双方のバックルだけでなく片側のバックルのみでもロック操作可能であって操作性が向上するとともに、バックルが開閉蓋の表面に平行な方向に回動するように軸支されているためロック操作力が安定し、ロック時には、双方のバックルに設けた各ロック部が開閉蓋に確実に係合し、誤って落下させた際などに、この際の衝撃が片側のバックルに対して外れ方向への力として加わった場合でも、バックルが外れてロックが解除されてしまうことが防止され、連動構成部が片側に構成できるため小型省スペース化が可能となる。
【図面の簡単な説明】
【図１】本発明の実施の形態にかかる蓋開閉装置を備えたポータブルＣＤ装置の外観図
【図２】同ポータブルＣＤ装置の蓋開閉装置のロック状態での平面透視図
【図３】同開閉装置のリリース状態での平面透視図
【図４】同ポータブルＣＤ装置における蓋開閉装置の連結構成部の斜視図
【図５】同開閉装置のロックリリース状態での正面断面図
【図６】従来の蓋開閉装置の正面断面図
【符号の説明】
２    蓋開閉装置
３    本体キャビネット
３ａ  ロック用溝（被ロック部）
４    開閉蓋
６    バックル
７    連結板
８    連結レバー
１１  バックル支軸
１４  支軸
１５  ロック片（ロック部）
１６  バネ
【図１】
0003702707.tif 000002
【図２】
0003702707.tif 000003
【図３】
0003702707.tif 000004
【図４】
0003702707.tif 000005
【図５】
0003702707.tif 000006
【図６】
0003702707.tif 000007